(57)【要約】      （修正有）【課題】演色評価数（Ｒａ）を改善し、鮮やかな照明を得ることができるＬＥＤランプ構造を提供する。【解決手段】基板に設けられた複数の疑似白色ＬＥＤ１００と、前記基板に設けられた複数の単色発光ＬＥＤとを備え、前記単色発光ＬＥＤの発光波長は６００ｎｍ〜６６０ｎｍの赤色発光に少なくとも１個以上の発光ピーク波長をもつ第一の単色発光ＬＥＤ２００と６６０ｎｍを超える深赤発光波長域に少なくとも１個以上の発光ピーク波長をもつ第二の単色発光ＬＥＤ３００をもち、前記疑似白色ＬＥＤの光と前記単色発光ＬＥＤの光とがお互いに混合している。【選択図】図１
2014229887.tif 000002
【特許請求の範囲】
【請求項１】
基板と、前記基板に設けられた少なくとも１個以上の白色発光ＬＥＤと、前記基板に設けられた複数の単色発光ＬＥＤとを備え、前記単色発光ＬＥＤの発光波長は６００ｎｍ〜６６０ｎｍの間に少なくとも１個以上の発光ピーク波長をもつ第一の単色発光ＬＥＤと６６０ｎｍを超える波長域に少なくとも１個以上の発光ピーク波長をもつ第二の単色発光ＬＥＤからなり、前記白色発光ＬＥＤの光と前記単色発光ＬＥＤの光がお互いに混合していることを特徴とするＬＥＤランプ構造。
【請求項２】
前記基板に設けられたＬＥＤは、基板上に配列され、外側の列は白色ＬＥＤ、略中央部に位置する部分に単色発光ＬＥＤを配置したことを特等とする請求項１記載のＬＥＤランプ構造
【請求項３】
前記白色発光ＬＥＤと前記単色発光ＬＥＤとが、１個の点灯電源で点灯することを特徴とする請求項１に記載のＬＥＤランプ構造。
【請求項４】
前記白色発光ＬＥＤと前記単色発光ＬＥＤを、複数個の点灯電源でそれぞれ点灯することを特徴とする請求項１に記載のＬＥＤランプ構造。
【発明の詳細な説明】
【技術分野】
【０００１】  本発明は、ＬＥＤランプ構造に係り、特に、生鮮食品等の効果的な照明が可能なＬＥＤランプ構造に関するものである。
【背景技術】
【０００２】  近年、省エネ志向の高まりや電力不足の影響を受け、白熱電球類の使用が敬遠され、白色ＬＥＤランプの低価格化が進んだこともあり、ＬＥＤランプが多く使用される様になって来ている。
しかし、従来のＬＥＤランプは、青色発光ＬＥＤと、青色光で励起される５５０ｎｍ付近に発光ピークを持つ黄色発光蛍光体の、組み合わせである疑似白色ＬＥＤである。これらのＬＥＤランプは色再現性を表わす演色評価数（Ｒａ）が低く、太陽光を１００とした数値ではＲａ７０〜８０と低い値である。
【先行技術文献】
【０００３】
【特許文献１】  特開２００９−１７６６９２号  公報
【発明の概要】
【発明が解決しようとする課題】
【０００４】  このために、疑似白色ＬＥＤを使用したＬＥＤランプ構造体に照射された被照射体は、色再現性が悪く例えば野菜などの生鮮食品は、本来のみずみずしさがなくくすんだ様な感じとなり新鮮さを感じない。
また、鮮魚や精肉類は自身が持つ分光反射率のピーク波長と疑似白色ＬＥＤの発光波長が合わず、ランプで照らされても反射光が無いため、鮮魚や精肉類は黒っぽい感じとなりこれも新鮮に感じない不具合があり、食品店舗など色彩を重視する場所での使用は進んでいない。
以上述べたように、ＬＥＤランプは消費電力が少なく省エネに最適であるが、演色評価数（Ｒａ）が低く、ＬＥＤランプで照らされた場合、くすんだような感じを受け、普及の足かせとなっている。【０００５】  本発明は、このような従来技術のＬＥＤランプが有していた問題を解決しようとするものであり、演色評価数（Ｒａ）を改善し、鮮やかな照明を提供することを目的とする。
【課題を解決する手段】
【０００６】  本発明は前期目的を達成するために、本発明によるＬＥＤランプ構造は、基板と、前記基板に設けられた複数の疑似白色ＬＥＤと、前記基板に設けられた複数の単色発光ＬＥＤとを備え、前記単色発光ＬＥＤの発光波長は６００ｎｍ〜６６０ｎｍの赤色発光に少なくとも１個以上の発光ピーク波長をもつ第一の単色発光ＬＥＤと６６０ｎｍを超える深赤発光波長域に少なくとも１個以上の発光ピーク波長をもつ第二の単色発光ＬＥＤをもち、前記疑似白色ＬＥＤの光と前記単色発光ＬＥＤの光とがお互いに混合している。
【０００７】  この様な光の混合によりＬＥＤランプ構造体の発光波長域が増え、演色性が向上し色再現性が向上する。
さらに、照射体の最大分光反射率波長と近似した発光波長の単色発光ＬＥＤを使用することにより、たとえばマグロなどの切り身に照射した場合、マグロの分光反射率ピークと前記単色発光ＬＥＤの発光波長ピークが近似するために、照射面がより明るく、鮮やかに視認できる。
【０００８】  上記課題解決手段による作用は次のとおりである。光に照射された物体が鮮やかに認識できるためには、物体が持っている色調と近接した波長の光で照射すれば、その物体から反射される光が増え明るく鮮やかに認識できる。本発明は疑似白色ＬＥＤの発光に６００ｎｍ〜６６０ｎｍの波長域に少なくとも１のピークを持つ赤色発光ＬＥＤと６６０ｎｍを超えるピーク波長をもつ深赤発光ＬＥＤを組み合わせることにより、ＬＥＤランプから照射される光の波長域が増加し照射された物体が鮮やかに認識できる。
【発明の効果】
【０００９】以下本発明の実施例を参考に説明する。
【００１０】［図１］本発明に係るＬＥＤランプの構造を示す斜視図である。
【００１１】  図１は本発明に係るＬＥＤランプ構造を示す斜視図である。図１に示すように、ＬＥＤランプ構造は、他の異なる色調の発光色を調整するために、基板と複数の疑似白色ＬＥＤ１００と複数の単色発光ＬＥＤ２００、３００とを備える。
【００１２】  疑似白色ＬＥＤ１００の光と単色発光ＬＥＤ２００、３００の光とがお互いに混合し、使用ニーズに応じてその色調（色温度）を調整するために、これらの疑似白色ＬＥＤ１００とこれらの単色発光ＬＥＤ２００、３００とが基板上に配列されている。ここで単色発光ＬＥＤ２００は発光波長６４０ｎｍの赤色ＬＥＤであり、単色発光ＬＥＤ３００は発光波長６７０ｎｍの深赤ＬＥＤである。
【００１３】  本実施例では、基板に複数個の疑似白色ＬＥＤ１００と複数の単色発光ＬＥＤ２００、３００とが基板上に設けられ、疑似白色ＬＥＤ１００は基板の外周に、複数の単色発光ＬＥＤ２００、３００は基板の略中央部にそれぞれ配置されている。
【００１４】  疑似白色ＬＥＤの発光波長４５０ｎｍ、５５０ｎｍと単色発光ＬＥＤの発光波長６４０ｎｍ、６７０ｎｍの光が直接に混合され、波長域の広い照射光が可能となる。例えば、５０００ｋの疑似白色ＬＥＤと６４０ｎｍ発光ＬＥＤ、６７０ｎｍ発光ＬＥＤの組み合わせでは平均演色評価数（Ｒａ）が９１と増加し、色再現性に優れていることがわかる。
疑似白色ＬＥＤと単色発光ＬＥＤの構成比は照射される被照射体の色調により決定される。例えば牛肉やマグロの切り身などは、それ自身の分光反射率ピークが深赤にあるので６７０ｎｍに発光ピークを持つ単色発光ＬＥＤ３００を多くすればよく、蟹など多くの赤い魚介は分光反射のピークが６４０ｎｍにあり、単色発光ＬＥＤ２００を多くすれば、それぞれの被写体に適した光が得られる。
【００１５】  また、青果などでは単色発光ＬＥＤを少なくし、疑似白色ＬＥＤを多くすれば、青、緑が明るく照射され、鮮やかに視認できるとともに、配置された単色発光ＬＥＤで赤色も明るく鮮やかに視認できる青果に適した照明となる。
【００１６】  本発明による疑似白色ＬＥＤと単色ＬＥＤを発光させるための電気特性は同一でなく、点灯させる場合に重要となる最大印加電圧（順電圧Ｖｆ）値はおおよそ、疑似白色ＬＥＤ３．５Ｖ、単色ＬＥＤ２．５Ｖと大きな違いがあり、最大印加電圧（Ｖｆ）の小さい単色ＬＥＤは破壊する恐れがある。
【００１７】  ［図２］本発明に係るＬＥＤランプの点灯回路を模試的に示した図である。
【００１８】  図２に示す図は、電気特性の異なるＬＥＤをそれぞれ別個の点灯回路４００，５００で点灯される。
一方図３に示す図は、一つの点灯回路６００で点灯される。本件の場合は使用するＬＥＤは市販されているＬＥＤがそのまま使用できるメリットがある。
図２に示される事例では、市販されている疑似白色ＬＥＤと単色発光ＬＥＤがそのまま利用できるが、独立した点灯電源４００，５００が必要となる。
【００１９】  一方図３に示した事例は、疑似白色ＬＥＤと単色発光ＬＥＤの許容電流値（Ｉｆ）を同一にしたＳＭＤとして、点灯回路を定電流タイプとしてＬＥＤを点灯するものである。
【００２０】  本発明に係る点灯方式はどちらでもよく、疑似白色ＬＥＤと単色発光ＬＥＤが点灯すれば良い。
【００２１】  以上の実施例は、単に本発明の好ましい具体的な実施例に過ぎず、本発明の範囲を限定するものではない。
上述したように本発明は、青果、鮮魚、精肉などの照明に最適なＬＥＤランプ構造を提供できる。
【図面の簡単な説明】
【００２２】
【図１】  本発明の形態をしめす、ＬＥＤランプ基板とＬＥＤチップ構造
【図２】  本発明のＬＥＤランプ構造を点灯するための２電源方式
【図３】  本発明のＬＥＤランプ構造を点灯するための１電源方式
【発明を実施するための形態】
【００２３】  以下本発明の実施の形態を図１〜図３に基づいて説明する。
【００２４】  図において、１００は基板に設けられた白色ＬＥＤで、２００は６００ｎｍ〜６６０ｎｍに発光ピークをもつ単色ＬＥＤで、３００は６７０ｎｍを超えるピーク波長をもつ単色ＬＥＤを基板に配置した例である。
外周には白色ＬＥＤ１００が配置され、略中央部には単色発光ＬＥＤ２００，３００が配置されている。
【００２５】  図２は図１の示されるような基板を持つＬＥＤランプを点灯する回路の模試図である。白色ＬＥＤと単色発光ＬＥＤの電気特性が異なるために、点灯回路をそれぞれ独立に有している。
【００２６】  図３は図１の示されるような基板を持つＬＥＤランプを点灯する回路の模試図である。白色ＬＥＤと単色発光ＬＥＤの電流特性が同一になるように製造されたそれぞれのＬＥＤチップが配置され単一の定電流回路で点灯できるように工夫されている。
【符号の説明】
【００２７】図１
１００      疑似白色ＬＥＤ
２００      単色発光ＬＥＤ
３００      単色発光ＬＥＤ【００２８】図２
４００      点灯回路１
５００      点灯回路２【００２９】図３
４００      点灯回路１
【図１】
2014229887.tif 000003
【図２】
2014229887.tif 000004
【図３】
2014229887.tif 000005